(57)【要約】【課題】表示内容や表示の大きさを容易に変えることができ、したがって、掲示情報や広告の内容に柔軟に対応することのできる、電気泳動表示装置を提供する。【解決手段】単位大きさの電気泳動シート２と、電気泳動シート２の１枚又は複数枚が着脱可能に装着される装着ボード３とを備えた電気泳動表示装置１である。電気泳動シート２は、基板と、基板の内面側に設けられた第１電極と、第１電極の内面側に設けられた電気泳動層と、電気泳動層の内面側に設けられた保護層とを有し、電気泳動層が、電気泳動粒子と、電気泳動粒子を分散させる液相分散媒とからなる電気泳動分散液を備えて形成されている。装着ボード３は、ボード本体１０と、ボード本体１０の内面側に設けられた第２電極１１とを有して形成されている。第１電極と第２電極１１との少なくとも一方が、所望の表示形態に対応するパターンに形成されている。【選択図】図１
2007178707.tif 000002
【特許請求の範囲】
【請求項１】
単位大きさの電気泳動シートと、該電気泳動シートの１枚又は複数枚が着脱可能に装着される装着ボードとを備えてなり、
前記電気泳動シートは、基板と、該基板の内面側に設けられた第１電極と、該第１電極の内面側に設けられた電気泳動層と、該電気泳動層の内面側に設けられた保護層とを有し、前記電気泳動層が、電気泳動粒子と、該電気泳動粒子を分散させる液相分散媒とからなる電気泳動分散液を備えて形成され、
前記装着ボードは、ボード本体と、該ボード本体の内面側に設けられた第２電極とを有して形成され、
前記基板及び第１電極の組と前記ボード本体及び第２電極の組の少なくとも一方が、透光性を有して形成され、
前記第１電極と第２電極との少なくとも一方が、所望の表示形態に対応するパターンに形成されていることを特徴とする電気泳動表示装置。
【請求項２】
前記基板及び第１電極の組が、透光性を有して形成され、
前記第２電極が、所望の表示形態に対応するパターンに形成されていることを特徴とする請求項１記載の電気泳動表示装置。
【請求項３】
前記電気泳動層は、前記電気泳動分散液が封入されたマイクロカプセルが多数配置させられて形成されていることを特徴とする請求項１又は２記載の電気泳動表示装置。
【請求項４】
前記装着ボードには、その内面側に、前記電気泳動シートを着脱可能に装着させるための保持レールが設けられていることを特徴とする請求項１〜３のいずれか一項に記載の電気泳動表示装置。
【請求項５】
前記保持レールには、前記装着ボードに設けられた電源端子部と前記電気泳動シートの第１電極との間を導通させる配線部が設けられていることを特徴とする請求項４記載の電気泳動表示装置。
【請求項６】
前記装着ボードは矩形状に形成され、前記保持レールは前記装着ボードの内面側に格子状に設けられており、
前記電気泳動シートは矩形状に形成され、前記保持レールによって区画された矩形の保持領域に着脱可能に装着されることを特徴とする請求項４又は５記載の電気泳動表示装置。
【発明の詳細な説明】
【技術分野】
【０００１】
本発明は、掲示板や広告ディスプレイなどに好適な電気泳動表示装置に関する。
【背景技術】
【０００２】
従来、公共施設や病院、学校などでは、主な情報伝達手段として掲示板が用いられている。しかし、このような掲示板は、同一内容の印刷物を数カ所に設置された掲示板に人手で貼り付けることから、掲示場所が広範囲多地点に及ぶと人手がかかってしまい、非効率的であるといった問題があった。
このような背景から、ＬＥＤディスプレイやプラズマディスプレイ等を利用した情報表示装置が提案され、さらには、電力消費の面で有利なものとして、電気泳動ディスプレイを用いた電子掲示板が提案されている（例えば、特許文献１参照）。
ところで、前記特許文献１では、電子掲示板を構成する電気泳動ディスプレイに関し、その大きさについては特に触れられておらず、したがって、予め所定の大きさに形成された電気泳動ディスプレイにより、電子掲示板が構成されているものと考えられる。
【特許文献１】特開２００２−２４４６００号公報
【発明の開示】
【発明が解決しようとする課題】
【０００３】
しかし、掲示板として用いる場合、掲示したい情報によっては電気泳動ディスプレイの大きさが足らず、したがって掲示情報を非常に小さく表示しなくてはならず、掲示情報が見にくくなってしまうことがある。逆に、掲示したい情報が僅かしかない場合にも、電気泳動ディスプレイの大きさは変えられないことから、この電気泳動ディスプレイのほんの一部に情報を掲示したり、情報を拡大して表示（掲示）することになる。しかし、このようにして表示（掲示）を行った場合にも、やはり掲示情報が見にくくなってしまうことがある。
【０００４】
また、電気泳動ディスプレイは、前述したように電力消費の面で有利であるため、掲示板としての用途とは別に、広告ディスプレイとして用いたいとの要望がある。しかし、広告ディスプレイでは、表示する内容がいろいろとあり、その内容によって必要とする表示面積（大きさ）も大きく変わってしまう。したがって、前記の特許文献１に開示されているような電子掲示板では、その大きさに過不足が生じてしまい、広告ディスプレイとしての使用には十分に対応しきれないものとなっている。
【０００５】
本発明は前記事情に鑑みてなされたもので、その目的とするところは、表示内容や表示の大きさを容易に変えることができ、したがって、掲示情報や広告の内容に柔軟に対応することのできる、電気泳動表示装置を提供することにある。
【課題を解決するための手段】
【０００６】
前記目的を達成するため本発明の電気泳動表示装置は、単位大きさの電気泳動シートと、該電気泳動シートの１枚又は複数枚が着脱可能に装着される装着ボードとを備えてなり、
前記電気泳動シートは、基板と、該基板の内面側に設けられた第１電極と、該第１電極の内面側に設けられた電気泳動層と、該電気泳動層の内面側に設けられた保護層とを有し、前記電気泳動層が、電気泳動粒子と、該電気泳動粒子を分散させる液相分散媒とからなる電気泳動分散液を備えて形成され、
前記装着ボードは、ボード本体と、該ボード本体の内面側に設けられた第２電極とを有して形成され、
前記基板及び第１電極の組と前記ボード本体及び第２電極の組の少なくとも一方が、透光性を有して形成され、
前記第１電極と第２電極との少なくとも一方が、所望の表示形態に対応するパターンに形成されていることを特徴としている。
【０００７】
この電気泳動表示装置によれば、単位大きさの電気泳動シートと、該電気泳動シートの１枚又は複数枚が着脱可能に装着される装着ボードとを備え、装着ボードに電気泳動シートが装着されることで、この装着部分が電気泳動ディスプレイとして機能するように構成されているので、装着ボードに装着する電気泳動シートの数を適宜に変えることにより、目的とする表示の内容に対応した大きさの電気泳動ディスプレイを形成することができる。したがって、電気泳動ディスプレイを表示の内容に対応して過不足のない大きさに形成できることから、掲示情報や広告の内容に柔軟に対応することができる。
【０００８】
また、前記電気泳動表示装置においては、前記基板及び第１電極の組が、透光性を有して形成され、前記第２電極が、所望の表示形態に対応するパターンに形成されているのが好ましい。
このようにすれば、装着ボードの第２電極を、予め所望の表示形態に対応するパターンに形成しておくことで、目的とする掲示情報や広告を容易に表示することができる。
また、特に電気泳動シートについては、その第１電極を基板のほぼ全面に形成されてなる共通電極とすることにより、装着ボードが変わってもそのまま使い回すことができ、したがって価格の上昇を抑えて掲示板や広告ディスプレイを安価に形成することができる。
【０００９】
また、前記電気泳動表示装置においては、前記電気泳動層は、前記電気泳動分散液が封入されたマイクロカプセルが多数配置させられて形成されているのが好ましい。
このようにすれば、電気泳動分散液自体はマイクロカプセルに封入されているため、液漏れの心配がなく、したがって電気泳動層についての封止が容易になる。よって、電気泳動シートの製造が容易になり、また、水分による性能劣化が少ないことから性能が安定したものとなる。
【００１０】
また、前記電気泳動表示装置においては、前記装着ボードの内面側に、前記電気泳動シートを着脱可能に装着させるための保持レールが設けられているのが好ましい。
このようにすれば、装着ボードへの電気泳動シートの装着が、保持レールを利用することで容易になる。
【００１１】
なお、この電気泳動表示装置においては、前記保持レールに、前記装着ボードに設けられた電源端子部と前記電気泳動シートの第１電極との間を導通させる配線部が設けられているのが好ましい。
このようにすれば、装着ボードと電気泳動シートとの間の導通が容易になり、電気泳動シートを装着ボードに装着させるだけでこの装着部分をより容易に電気泳動ディスプレイとして機能させることができる。
【００１２】
また、前記電気泳動表示装置においては、前記装着ボードは矩形状に形成され、前記保持レールは前記装着ボードの内面側に格子状に設けられており、前記電気泳動シートは矩形状に形成され、前記保持レールによって区画された矩形の保持領域に着脱可能に装着されるのが好ましい。
このようにすれば、保持領域を全て同じの大きさにし、かつ電気泳動シートも全て同じ大きさにしておくことにより、装着ボードへの電気泳動シートの装着をより容易にすることができ、したがって所望の表示を容易に行うことができる。
【発明を実施するための最良の形態】
【００１３】
以下、本発明を詳しく説明する。
図１（ａ）、（ｂ）は本発明の電気泳動表示装置の一実施形態を示す図であり、図１（ａ）、（ｂ）中符号１は電気泳動表示装置である。
この電気泳動表示装置１は、単位大きさの電気泳動シート２と、該電気泳動シート２の１枚又は複数枚が着脱可能に装着される装着ボード３とを備えてなるものである。
【００１４】
電気泳動シート２は、矩形状に形成されたもので、図２の側断面図に示すように、基板４と、該基板４の内面側に設けられた第１電極５と、該第１電極５の内面側に設けられた電気泳動層６と、該電気泳動層７の内面側に設けられた保護層７とを有して構成されたものである。
【００１５】
基板４は、本実施形態では電気泳動表示装置１の表示面を形成するもので、透光性の材料、すなわち透明材料によって形成されたものである。このような材料としては、特に電気泳動シート２にフレキシブル性（可撓性）が求められる場合、例えばポリエチレンテレフタレート（ＰＥＴ）、ポリエーテルスルホン（ＰＥＳ）、ポリカーボネイト（ＰＣ）などが好適に用いられる。また、一般のパネルのように電気泳動シート２にフレキシブル性（可撓性）が求められない場合には、ガラスや硬質の樹脂などを用いることもできる。
【００１６】
第１電極５は、ＩＴＯ等からなる透明電極であって、基板４の内面のほぼ全面に形成されたものであり、共通電極として機能するものである。なお、本実施形態では、図１（ｂ）中の要部拡大図Ａに示すように、基板４の一方の短辺部における一部に切欠４ａが形成されており、基板４の外面側において、この切欠４ａ内に第１電極５が露出させられている。そして、この露出した部位が、第１電極５における接続端子部５ａ、すなわち、後述する電源側との導通部となっている。
【００１７】
電気泳動層６は、電気泳動分散液が封入されたマイクロカプセル８が、第１電極５の内面に多数配置させられて形成されたものである。これらマイクロカプセル８は、全てがほぼ同一の直径に形成されたもので、本実施形態では、直径が約３０μｍ程度に形成されている。また、これらマイクロカプセル８は、第１電極５の内面上においてその面方向に密に配置され、バインダ９によって固定されたことにより、電気泳動層６を形成している。
【００１８】
バインダ９としては、マイクロカプセル８の壁膜に対する親和性が良好で、第１電極５に対する密着性に優れ、かつ絶縁性を有するものが使用可能である。例えば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフィニレンエーテル、ポリエーテルエテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等の珪素樹脂、その他として、メタクリル酸−スチレン共重合体、ポリブチレン、メタクリル酸メチル‐ブタジエン−スチレン共重合体等を用いることができる。
【００１９】
このマイクロカプセル８に封入された電気泳動分散液は、電気泳動粒子と、これを分散させる液相分散媒とからなっている。
前記液相分散媒としては、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独、またはこれらの混合物に界面活性剤等を配合したものを用いることができる。
【００２０】
また、電気泳動粒子は、液相分散媒中で電位差による電気泳動により移動する性質を有する有機あるいは無機の粒子（高分子あるいはコロイド）である。
この電気泳動粒子としては、例えば、アニリンブラック、カーボンブラック、チタンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等の１種又は２種以上を用いることができる。
【００２１】
さらに、これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
マイクロカプセル８の壁膜を形成する材料としては、アラビアゴム・ゼラチンの複合膜、ウレタン樹脂、ウレア樹脂、尿素樹脂などの化合物が使用できる。
【００２２】
なお、本例の電気泳動シート２においては、前記マイクロカプセル８に電気泳動粒子が二種類封入されており、一方が負に、他方が正に帯電している。これら二種類の電気泳動粒子としては、例えば白色顔料である二酸化チタンと、黒色顔料であるカーボンブラックが用いられる。そして、このような白、黒の二種類の電気泳動粒子を用いることにより、例えば、数字等の表示をなす場合、黒の電気泳動粒子によって数字等を表示することができる。
また、電気泳動粒子を一種類のみ用い、これを第１電極（共通電極）５側、あるいは後述する装着ボード２の第２電極側に泳動させることで、表示をなすようにしてもよい。
【００２３】
このようなマイクロカプセル８からなる電気泳動層６の内面側、すなわち前記第１電極５と反対の側には、保護層７が設けられている。この保護層７は、マイクロカプセル８からなる電気泳動層６が露出し、大気に触れることにより、水分等の影響を受けて劣化するのを防止するとともに、機械的な圧力などによってマイクロカプセル８が破壊されてしまうのを防止するものである。また、この保護層７は、マイクロカプセル８と後述する装着ボード２の第２電極との間に配置させられることにより、これらマイクロカプセル８と第２電極との間を電気的に導通させるものとなっている。
【００２４】
このような機能を有する保護層７としては、例えば異方性導電フィルム（ＡＣＦ）等の異方性導電材料が好適に用いられる。また、十分薄厚に形成されていれば、必ずしも良好な導電性を有することなく、例えば厚さが約２５μｍ程度に形成されたゴム系やアクリル系などの粘着性材料により、保護層７を形成することもできる。もちろん、このような粘着性材料に導電性粒子を分散させておくことにより、異方性導電材料として機能させることもできる。
【００２５】
なお、このような構成からなる電気泳動シート２は、非使用時においては、保護層７の内面に剥離シートなどを貼設しておき、保護層７の内面の汚れなどを防止しておく。特に、保護層７が粘着性を有している場合には、当然ながら汚れが付着しやすく、この汚れによって導電性が損なわれるおそれがあることから、非使用時には剥離シートを必ず貼設しておくのが望ましい。
また、このような構成の電気泳動シート２については、大判のシートとして市販されているものもある。したがって、このような大判のシートを適宜な大きさに切断することで、電気泳動シート２を用意することもできる。
【００２６】
装着ボード３は、図１（ｂ）に示したように矩形板状のボード本体１０と、該ボード本体１０の内面側に設けられた第２電極１１とを有して形成されたものである。ボード本体１０は、本実施形態の電気泳動表示装置１の使用目的に応じて適宜な大きさに形成されたものである。また、このボード本体１０の材質については、特に限定されることなく任意のものが使用可能である。具体的には、硬質の樹脂やゴム、ガラス、木、金属、各種セラミックスなど種々のものが使用可能である。ただし、第２電極１１を形成する内面側については、当然ながら絶縁性が必要になることから、導電性の金属などでボード本体１０を形成した場合には、その表面に絶縁膜を形成しておく必要がある。本実施形態では、特に硬質の樹脂、具体的にはポリイミド（ＰＩ）、ポリエチレンナフタレート（ＰＥＮ）等のポリエステル、ポリエチレン（ＰＥ）、ポリスチレン（ＰＳ）、ポリプロピレン（ＰＰ）、ポリエーテルエーテルケトン（ＰＥＥＫ）、アクリルあるいはポリアクリレート類等が好適に用いられる。
【００２７】
第２電極１１は、所望の表示形態に対応したパターンに形成されたもので、本実施形態では多数のセグメント電極１２ａ〜１２ｄによって構成されている。これらセグメント電極１２ａ〜１２ｄは、例えば銅箔やＩＴＯ等によって形成されたもので、電気的にも表示形態に対応して構成されたものである。すなわち、それぞれが独立した島状に形成され、したがって個々に独立して電圧が印加されるようになっていてもよく、あるいは、全部又は一部が電気的に接続され、これによって電気的に同じ挙動を示すように構成されていてもよい。本実施形態では、セグメント電極１２ａ〜１２ｄは横線を表すセグメント電極１２ａと、縦線を表すセグメント電極１２ｂと、斜め線を表すセグメント電極１２ｃ及び１２ｄとからなっており、個々に独立して電圧が印加されるようになっている。
【００２８】
すなわち、ボード本体１０には、その外面側の隅部に電源取り入れ部１３が設けられている。そして、この電源取り入れ部１３に接続した配線（図示せず）が制御部（図示せず）を経由し、さらに貫通孔（図示せず）を通って内面側に至り、各セグメント電極１２ａ〜１２ｄに接続されている。電源取り入れ部１３には、電源としての電池（バッテリー）が取り換え可能に設けられ、これによって各セグメント電極１２ａ〜１２ｄには、後述するように前記の電気泳動シート２の第１電極との間に電圧が印加されるようになっている。
【００２９】
また、制御部は、各セグメント電極１２ａ〜１２ｄのうちのどれに電流を流し、そのセグメント電極１２ａ〜１２ｄの形状に対応した表示をなさせるかを制御するもので、例えばクロックを内蔵し、予め設定された通りの時間で各セグメント電極１２ａ〜１２ｄへの通電のオン・オフを切り換えるようにしたものである。
なお、電源取り入れ部には、電源としての電池（バッテリー）に代えて、電源プラグを備えたコードを取り付け、電源プラグを電源に接続することにより、電極への通電を行うようにしてもよい。
【００３０】
また、この装着ボード３には、その内面側に保持レール１４が格子状に設けられている。この保持レール１４は、前記電気泳動シート２をボード本体１０に対して着脱可能に装着させるためのもので、図１（ｂ）のＢ−Ｂ線矢視図である図３に示すように、ボード本体１０上に立ち上げられた細板状のガイド部１４ａと、このガイド部１４ａの上端部に設けられて該ガイド部１４ａより幅広に形成された保持部１４ｂと、からなる横断面Ｔ字状のもの、あるいは逆Ｌ字状のものである。また、この保持レール１４は、アクリル等の透明硬質樹脂によって形成されており、これによって電気泳動シート２による表示を妨げないようになっている。
【００３１】
また、本実施形態では、図１（ｂ）に示したように、ボード本体１０の長辺方向に沿って一条のレール要素１５が、また短辺方向に沿って７条のレール要素１５がそれぞれ設けられており、これらレール要素１５によって保持レール１４が構成されている。このような構成のもとに装着ボード３は、保持レール１３によって区画してなる矩形の保持領域１６を複数形成している。これら保持領域１６は、全て、前記の電気泳動シート２とほぼ同じ形状・大きさになるように形成されたものである。これによって装着ボード３は、図１（ｂ）に示すように電気泳動シート２が、レール要素１５が設けられていないボード本体１０の長辺側から差し入れられることにより、図４に示すようにこの電気泳動シート２を、保持領域１６に着脱可能に装着するようになっている。
【００３２】
また、この電気泳動表示装置１では、前記の保持領域１６に電気泳動シート２が装着された後、ボード本体１０の外周に枠体１７を取り付けることにより、この枠体１７と前記保持レール１３の保持部１３ｂとにより、電気泳動シート２を保持領域１６に保持し固定するようになっている。
【００３３】
また、前記ボード本体１０には、前記電源取り入れ部１３に配線等を介して電源端子部（図示せず）が接続されており、この電源端子部には、前記電気泳動シート２の第１電極５に通電するための配線（図示せず）が接続されている。この配線は、ボード本体１０の内面側において、前記保持レール１４に沿って引き回され、各保持領域１６において接続端子が引き出されている。そして、この接続端子が、保持領域１６内に保持された電気泳動シート２の前記接続端子部５ａに接続されることにより、電気泳動シート２はその第１電極５に通電されるようになっている。なお、電気泳動シート２の接続端子部５ａについては、前述したような第１電極５が露出した部位に、前記接続端子が容易に接続可能なよう、公知の接続部材を設けておくのが好ましい。
【００３４】
このような構成からなる電気泳動表示装置１にあっては、装着ボード３として、予め所望の表示形態に対応したパターンの第２電極１１を形成したものを用意しておき、この装着ボード３の保持領域１６に電気泳動シート２を装着し、その第１電極５に電気的接続を行うことで、装着部分を電気泳動ディスプレイとして機能させることができる。
したがって、装着ボード３に装着する電気泳動シート２の数を適宜に変えることにより、目的とする表示の内容に対応した大きさの電気泳動ディスプレイを形成することができる。よって、電気泳動ディスプレイを表示の内容に対応して過不足のない大きさに形成できることから、掲示情報や広告の内容に柔軟に対応することができ、これにより掲示板や広告ディスプレイ、さらには各種の看板などに好適なものとなる。
【００３５】
また、目的とする表示内容が変更した場合にも、単に装着ボード３の第２電極１１のパターンを変え、このパターンに対応させて電気泳動シート２を装着するだけで、目的とする表示が可能になり、したがって表示についての自由度が非常に大きいものとなる。
さらに、電気泳動シート２については、全て同じ大きさ・形状で、かつ同じ構成のものとなるので、故障による動作不良などが生じても、そのシート２のみを交換することで電気泳動表示装置１としての機能は全く変わることがなく、したがって製品としての寿命が長くなり、コスト面でも有利なものとなる。
【００３６】
なお、本発明は前記実施形態に限定されることなく、本発明の要旨を逸脱しない限り種々の変更が可能である。例えば、前記実施形態では電気泳動シート２の基板４と第１電極５とを透明（透光性）にし、電気泳動シート２の外面を表示面としたが、装着ボード３のボード本体１０と第２電極１１とを透明（透光性）にし、ボード本体１０の外面を表示面としてもよい。
【００３７】
また、電気泳動シートとして、その第１電極が例えば文字や絵柄のパターンを有するものを用意するとともに、装着ボード３の第２電極については、ボード本体１０の全面に形成してこれを共通電極として機能させるように構成してもよい。このようにすることにより、用意した電気泳動シートを種々組み合わせて所望の文章や絵などを表示することができる。
【図面の簡単な説明】
【００３８】
【図１】（ａ）（ｂ）は本発明の電気泳動表示装置の一実施形態の概略構成図である。
【図２】電気泳動シートの概略構成を示す内面側を示す側断面図である。
【図３】図１（ｂ）のＢ−Ｂ線矢視図である。
【図４】図３に示した装着ボードに電気泳動シートを装着した状態を示す図である。
【符号の説明】
【００３９】
１…電気泳動表示装置、２…電気泳動シート、３…装着ボード、４…基板、５…第１電極、６…電気泳動層、７…電気泳動層、８…マイクロカプセル、１０…ボード本体、１１…第２電極、１４…保持レール
【図１】
2007178707.tif 000003
【図２】
2007178707.tif 000004
【図３】
2007178707.tif 000005
【図４】
2007178707.tif 000006